(57)【要約】      （修正有）【課題】隣接して電源スイッチなどが実装されたネジ止め式ＡＣインレットにおいて隣接器具との空間が極小化可能なＡＣインレットにＡＣコードを確実に固定できるＡＣコード脱落防止具を提供する。【解決手段】ＡＣコード脱落防止具は、装着具３０とＡＣコード５０のプラグ４０とを固定する固定具１００とを備えている。装着具３０はＡＣインレットの開口部の周縁部が貫通する開口部が長手方向中央部に設けられた四辺形を備え、この四辺形に垂直に連接した垂直補強部材を備えている。ＡＣインレット２０のと近接器具２００間には垂直補強部材の一方のみが挿し込まれるのでＡＣインレット２０と隣接する器具２００間の隙間寸法は垂直補強部材の板厚まで極小化できる。【選択図】図２
0003162756.tif 000002
【実用新案登録請求の範囲】
【請求項１】
本体装置に組み込まれたＡＣインレットに挿し込まれたＡＣコードが前記ＡＣインレットから抜け落ちないように固定するＡＣコード脱落防止具において、
前記ＡＣインレットに共締めして固定されるネジ止め式ＡＣインレットの開口部の周縁部を貫通する矩形の開口部を備えた水平矩形板状部材の両長手方向縁部から垂直に立ち下げた隣接器具との間の隙間に挿入する１対の垂直板状の補強部材を備えた装着具と、
該装着具と、前記ＡＣコ−ドとを固定する固定具を備えたことを特徴とする脱落防止具。
【請求項２】
前記装着具は、
固定部がＡＣプラグを捕捉するときのＡＣプラグの肩上の行程距離をより長くすることで固定具がＡＣプラグをより確実に捕捉するためにＡＣインレットの２本の止めネジを結んだ線に直交する軸上に固定具を軽視できる装着具を備えたことを特徴とする請求項１に記載のＡＣコード脱落防止具。
【請求項３】
前記装着具は、
前記垂直矩形の板状部材の長手方向中央部の板状部材と同一面に底部を該板状部材に接する拡張部を有してこの拡張部中央付近に丸孔、角孔、もしくは丸孔の下側に角孔を固定部の係止用として備えたことを特徴とする請求項１並びに請求項２に記載のＡＣコード脱落防止具。
【請求項４】
前記装着具は、
前記水平矩形の板状部材の中央部に設けられた前記矩形の開口部により分断された２つの水平矩形の板状部材に垂直に立ち上がった、前記開口部に接する辺とその対向する辺に補強部を備えたことｐを特徴とする前記請求項１、請求項２並びに請求項３に記載の脱落防止具。
【請求項５】
前記固定具は、
前記装着具と固定具を構成するＡＣインレットのプラグの肩を押さえつける押付金具間の距離を一端を装着具に固定した屈曲係止棒の他端にも設けた雄ネジと根イブ軸方向に雌ネジを設けた円筒ツマミにより、または合成樹脂製の結束紐により可変できる仕掛を備えた前期請求項１、請求項２、請求項３並びに請求項４に記載のＡＣコード脱落防止具。
【考案の詳細な説明】
【技術分野】
【０００１】
本考案は、例えば通信機器やパーソナルコンピュータのＡＣインレットに挿し込まれるＡＣコードのプラグがＡＣインレットから不用意に脱落することを防止するＡＣコード脱落防止具のうちネジ止め式ＡＣインレット用のもので、隣接機器との間の空間を極小化可能なものに関する。
【背景技術】
【０００２】
通信機器、計測機器、医療用機器やパーソナルコンピュータなどの電子機器に用いられるコネクタの多くは使用中にコネクタに挿し込んだケーブルプラグが不用意に抜けることが無いように、コネクタ自身に嵌合相手と組になったコネクタ抜けどめが装備されている。このようなコネクタは使用中にプラグがコネクタから抜けることは無く、トラブルが発生しないように考慮されている。しかし、一部のコネクタには上記のような抜けどめが装備されていないため抜け易いものがある。このようなコネクタの中には電源ユニットの入出力部に用いられるＡＣインレットとＡＣコードとの組み合わせがある。
【０００３】
本来、ＡＣインレットに挿し込まれるプラグを備えたケーブルであるＡＣコードは、そのプラグが確実にＡＣインレットに挿し込まれ、容易に抜け落ちないことが必要とされるが、実際には脱落防止機構が無いのでＡＣコードがＡＣインレットから抜け落ちやすい欠点がある。
【０００４】
この様なＡＣインレットに装着することでＡＣコードの脱落を防止できるＡＣコード脱落防止具が考案され提案されている（例えば、特許文献１-文献４参照）。
【０００５】
ネジ止め式ＡＣインレット用の脱落防止具はＡＣインレットを装置本体に固定するための固定ネジで脱落防止具の一部を共締めすることで脱落防止具をＡＣインレットに固定したりＡＣインレットと装置間に脱落防止具の一部を挿し込んでＡＣコード脱落防止具をＡＣインレットに装着している。このような装置の中にはＡＣインレット周辺に極めて空間が限られることがあり、ＡＣインレットと隣接する器具との間の空間が僅かしか設けられずに製造されているものがある。
【０００６】
ＡＣインレット周辺に比較的余裕の空間があるはずのネジ止め式ＡＣインレット用に開発された脱落防止具ではＡＣインレット周辺に脱落防止具を構成する主な部分の一部が脱落防止具の補強のために折れ曲がり易い部分を二重に重ね折するなどのためにＡＣインレットの平面空間から広くはみ出していることがあり、ＡＣインレットと隣接する器具との間に空間が僅かしかない装置ではＡＣコード脱落防止具が装着できない問題があった。
【先行技術文献】
【特許文献】
【０００７】
【特許文献１】特開平４−１６２９６８号公報
【特許文献２】特開２００８−２４３４０１号公報
【特許文献３】特願２００９−２０９３９５
【特許文献４】特願２００９−２４１８４９
【考案の概要】
【考案が解決しようとする課題】
【０００８】
ネジ止め式ＡＣインレットへの前記脱落防止具の装着はＡＣインレットを本体装置に固定（据え付け）している２本の止めネジに係止孔を持つＬ型金具を直接取り付けたり前記２本の止めネジ自身を係止孔付きのスタンドオフ状のものに交換したりして容易に行い得るが、この場合はＡＣプラグを捕捉する押付金具はＡＣプラグの幅方向に直交方向に移動してＡＣプラグに引っ掛けられるため押付金具がＡＣコードのプラグの肩部を捕捉する寸法が浅く（短く）なる。ＡＣコードのプラグの肩部を捕捉する寸法が深く（長く）でき確実な捕捉を可能にするためには前記押付金具がＡＣプラグの２本の止めネジを結んだ線に沿った方向に移動してＡＣプラグに引っ掛けられるように押付金具をＡＣインレットを固定する２本の止めネジを結んだ線に直交する軸上の２点に押付金具の長手方向延長両終端部である係止部を係止する係止点をＡＣインレット側に用意する必要がある。前記止めネジを結んだに線に直交する軸状の２点にに設けた係止点はＡＣインレットに止めネジで共締めして装着した装着具の希望する位置に設けて実現できるが一方では装着具は止めネジでＡＣインレットに固定され、他方では押付金具で前記ＡＣプラグをＡＣインレットに押し付けるために前記係止点が前記プラグの肩方向に引き上げられる結果、装着具が撓む。この撓みを防ぐために装着具自身を厚手の材料で製造したり装着具のＡＣインレット周辺部の寸法を拡大したり、装着具の縁端を二重に折り重ねて補強したりするすが、結果的に装着具寸法が大きくなるためＡＣインレット周囲に開き空間が必要になりＡＣインレットと近接する器具との間の隙間が限られている場合は装着具が装着できない不具合が生じているのが現状である。
本考案は、上記に鑑み、
【０００９】
押付金具がＡＣコードのプラグの肩部を捕捉するために要する押付金具の行程寸法が長くできて確実な補足を可能にするためにネジ止め式ＡＣインレットを装置本体に固定している２本のネジを結ぶ線に直交する軸上にＡＣコードのプラグの肩部を捕捉するための押付金具を含んだ固定具の両端が係止できて、前記２本のネジでＡＣインレットに容易に共締め装着され、同時に押付金具でプラグの肩方向に２箇所の係止点が引き上げられても容易に撓むことが無く、ＡＣインレットへの装着において必要になるＡＣインレットと隣接の器具との間の隙間を極小にできる装着具を考案して、近接する器具との間の隙間が小さなＡＣインレットを実装した装置にもＡＣコード脱落防止のための固定部材を提供することを目的とする。
【課題を解決するための手段】
【００１０】
上記目的を達成するための本考案のＡＣコード脱落防止具は、装置にネジ止めにて固定されたＡＣインレットに挿し込まれたＡＣコードのプラグが前記ＡＣインレットから抜け落ちないようにＡＣコードを固定するＡＣコード脱落防止具において、
（１）装置本体にＡＣインレットを固定するための２本のネジで共締めされる装着具と、
（２）該装着具と前記ＡＣコードとを固定する固定具とを備えたことを特徴とするものである。
なお、固定具とは押付金具を含み、ＡＣプラグの肩部をＡＣインレットに固定するために押付金具を装着具に固定するために必要な部材の総称です。
【００１１】
ここで、前記装着具は、
（３）ＡＣプラグが挿し込まれるＡＣインレットの開口部の周縁部が貫通できる矩形の開口部の短辺両端の夫々に接した矩形の水平面を備えた略長方形の板状部材と、該略長方形の長手方向の２辺の夫々に連結して垂直に立ち下がった垂直矩形の板状部材とからなり、
（４）前記２枚の水平矩形の板状部材の夫々にはＡＣインレットを本体装置に固定する止めネジで共締めされるためのネジ孔が設けられ、
（５）２枚の垂直に立ち下がった板状部材夫々の長手方向中央部は、該板状部材の同一面を垂直上方向に拡張した下底を垂直矩形の板状部材に連結した略台形部を備え、該略台形部の中央付近にＡＣプラグを固定する押付金具を含んだ固定具が係止される係止孔が設けられていることを特徴とする。なお、前記略台形部の形状は前記垂直矩形の板状部材の長手方向の辺に下側が完全に接すれば半円形など他の形状でも良い。
【００１２】
また前記固定具は、
（６）その中央部に略コの字状の捕捉部を備えたＡＣコードのプラグの肩部を押さえつける屈曲した硬質のワイヤ製押付金具１個と、
（７）装着具に係止される下端が略直角に屈曲し、その先端近くにＥリングを装着するための溝が設けられ、他端側に雄ネジを設けた硬質ワイヤ製のＬ型の２本の屈曲係止棒と、
（８）前記押付金具の両端部付近に形成された腕部を夫々をだき抱えるように、その１対の爪部で固定した、前記係止棒の上端の雄ネジ部を通す丸孔を設けた板状部分を備えたツマミ受け金具２個と、
（９）前記ツマミ受け金具の板状部分の丸孔に通された前記屈曲係止棒上端の雄ネジ部にねじ込まれる円筒形の内部に円筒の軸方向に雌ネジを設けた円筒ツマミ２個とを備えたものであってもよく、円筒の外周には一部或いは全てにローレット加工を施した物であっても良い。
【００１３】
或いは前記固定具は、
（１０）その中央部に略コの字状の捕捉部を備えたＡＣコードのプラグの肩部を押さえつける屈曲した硬質のワイヤ製押付金具１個と、
（１１）一般にタイラップ又はコードタイなどと呼ばれる市販の合成樹脂製の結束紐２本とからなり、
（１２）前記の装着具の２個の係止孔の夫々を通した前記の合成樹脂製の結束紐を環状にして前記押付金具の長手方向両端付近に形成された腕部に掛けたものであっても良く、
（１３）該腕部の両端は前記の環状にした合成樹脂製の結束紐が滑り落ちるのを防ぐための略直角上向きに曲げた抜け止め部を備えていても良い。
【００１４】
更にここで、前記装着具は、
（１４）前記水平矩形の板状部材２枚のＡＣインレットのＡＣプラグが挿し込まれる開口の周縁部に接する辺から水平矩形の板状部材に連結して垂直に立ち上がった略矩形の小板状部材を補強材として設けても良く、この辺に対向する水平矩形の板状部材の辺にも同じく水平矩形の板状部材に連結して垂直に立ち上がった小板状部材を補強材として設けても良い。
【００１５】
更にまたここで、前記装着具は、
（１５）前記水平矩形の板状部材に設けられたＡＣインレットと共締めが可能な丸孔は多くのネジ止め型ＡＣインレットのネジ止め用の孔の形状であるＭ３の皿ネジのネジ頭に合わせた下方向に凹になった形状を成しても良く、
（１６）より多くの異なるメーカによる僅かな異なる寸法のＡＣインレットの止めネジ用皿孔に容易に適合するようネジ頭に合わせた下方に凹になった形状の部分に孔の中心を通る１本或いは複数本のスリットを入れても良い。
【００１６】
更にまたここで、前記装着具は、
（１７）前記垂直矩形の板状部材に拡張部として設けられた台形部に設けられた固定具係止用孔は前記屈曲係止棒を係止するための丸孔または合成樹脂製結束紐を用いた固定具を係止するため角孔専用として設けても良く、丸孔と角孔を集合して設けても良い。丸孔と角孔を集合して設ける場合は丸孔に貫通した屈曲係止棒の他端が円筒ツマミの雌ネジを締めることでツマミ受け金具と丸孔を強く引きつけるため、丸孔を角孔の上に配することが台形部の強度確保の上で重要である。
【考案の効果】
【００１７】
本考案のＡＣコード墜落防止具では、
（１）ＡＣインレットの開口部の周縁部を挟んだ装着具の共締めネジ孔を備えた２枚の水平矩形の板状部材がＡＣインレットに共締めネジ固定されるので装着具はＡＣインレットに容易に固定でき、本体装置のネジ止め孔が雌ネジにタップ処理されている場合は本考案のＡＣコード脱落防止具は装置本体を分解したり開蓋したりせずに跡付けできる。
（２）装着具の構成要素の該水平矩形の板状部材の夫々に連結して垂直に立ち下がった対向する２枚の垂直矩形の板状部材はＡＣインレットの開口部の周縁部に接していて垂直矩形の板状部材の厚み寸法は板厚のみであってＡＣインレットに近接した器具との間の僅かな隙間に容易に納まる。
（３）該垂直矩形の板状部材の長手方向中央部に上方向に拡張した略台形部に設けられた係止孔係止された固定具によってＡＣインレットに挿し込まれたＡＣプラグの肩方向（上方）に加えられた力は略台形部を含む板状部材の沿面方向に加わることで装着具の垂直矩形の板状部材は容易に変形することは無く、更に前記の水平矩形の板状部材の夫々の垂直矩形の板状部材と接する辺は垂直に立ち下がった垂直矩形の板状部材が連結し、他の対向する辺の１組には前記の垂直に立ち上がった２種類の矩形の小板状部材による補強部がなされていて装着具が撓まないよう形成されている。
【００１８】
装置本体に据え付けられたＡＣインレットとその近隣に据え付けられた器具間には、据付作業を高効率に実施可能にするため小さな遊び寸法が設計時点で与えられることが普通である。ＡＣインレットと近隣の器具の場合、前記遊び寸法は概ね１ミリメートル程度にされていることが多く、特殊な場合を除いて最低でも０．５ミリメートル以上が確保されているのが普通である。一方、本考案のＡＣコード脱落防止具の装着具を構成する金属板は概ね０．５ミリメートルの板厚を適度としても良く、結果的に隣接器具との前記遊びによる空間を装着具の板厚まで極小化したネジ止め型ＡＣインレット用ＡＣコード脱落防止具を提供することが可能であり、装着具は平板を切り出して曲げ加工することで製造可能であり装着具の製造性に優れる。
【図面の簡単な説明】
【００１９】
【図１】装置本体に実装された隣接器具とＡＣインレットを示す平面図と斜視図である。
【図２】本考案の脱落防止具を装着したＡＣインレットとＡＣコードを隣接した器具とが共に本来装置に実装された状態を示す斜図である。
【図３】分解した本考案の脱落防止具を示す斜図である。
【図４】本考案の固定具に合成樹脂製結束紐を採用した脱落防止具を装着したＡＣインレットとＡＣコードを隣接した器具とが共に本来装置に実装された状態を示す斜図である。
【図５】本考案の装着具を製造するために平板から切り出した、曲げ加工前の金属板材の展開図である。
【考案を実施するための形態】
【００２０】
本考案は、隣接器具との空間を極小化可能なネジ止め型ＡＣインレット用ＡＣコード脱落防止具において実現されたものである。
【実施例１】
【００２１】
図１から図３を参照して、本考案の実施例１を説明する。
【００２２】
図１は本考案のＡＣコード脱落防止具が対象にしているネジ止め式のＡＣインレット２０と近接器具の一例として電源スイッチ２００とが本体装置表面１３に実装された様子を示す平面図と斜視図である。図１には本考案のＡＣコード脱落防止具は装着されていない状態が示されている。図２は本考案のＡＣコード脱落防止具１０が本体装置１３の表面に器具（電源スイッチ）２００が隣接して実装されたＡＣインレット２０に装着された様子を示す斜視図である。 図３は本考案のＡＣコード脱落防止具１０の分解斜視図である。
【００２３】
本考案のＡＣコード脱落防止具１０は装着具３０と固定具１００からなり、固定具１００はＡＣインレット２０と近接器具の電源スイッチ２００間に隙間ｇが示されている。
【００２４】
装着具３０はＡＣインレット２０を本体装置表面１３に固定している止めネジ１１２によってにＡＣインレット２０に共締めされる。装着具３０はＡＣインレットの開口部の周縁部２０ｂを装着具の水平四辺形面の開口部３５に貫通させることでＡＣインレット２０を包むように装着できる。この状態で水平矩形の板状部材３３，３４はＡＣインレットの開口部の周縁部２０ｂの両側にネジ孔をＡＣインレットのネジ孔位置に合わせて設置される。垂直矩形の板状部材はＡＣインレットの長手方向側面に接してＡＣインレットに装着されるので、ＡＣインレットと近接器具２００との間の隙間ｇが板厚と等しいかそれ以上あれば実装できる。
【００２５】
装着具３０と固定具１００を用いてＡＣコード５０の脱落を防止するには、先ず２本の屈曲係止棒１１０の夫々の一端の直角に屈曲した先端１１０ｂを、屈曲係止棒１１０の他端１１０ａが夫々垂直矩形の板状部材３１，３２から遠い側になるように、装着具３０の垂直矩形の板状部材３１，３２の台形部の拡張部に設けられた係止孔の丸孔に３１ａ，３２ａに貫通させて該屈曲部１１０ｂ夫々の先端付近に設けられた溝にＥリング１１１を装着し、屈曲係止棒１１０を装着具３０に結合する。屈曲係止棒は装着具３０から抜け落ちることは無いが、屈曲部１１０ｂを軸に自由に可動可能である。
【００２６】
次に、ＡＣコード５０のプラグ４０をＡＣインレット２０から抜いておき、ＡＣインレット２０を本体装置１３に固定している２本の止めネジ１１２を２本とも緩めて外す。装着具３０をＡＣインレット２０に装着する。装着は装着具３０の垂直矩形の板状部材３１，３２をＡＣインレットの側面に接しさせながら、装着具３０の水平四辺形面の開口部３５をＡＣインレット２０の開口部の周縁部２２ｂが貫通することで成り、外しておいた止めネジ１１２を夫々装着具のネジ孔３３ａ，３４ａに貫通させてから本体装置に締め戻して装着具３０がＡＣインレット２０に装着できる。
【００２７】
次に装着具の開口部３５を介してＡＣコード５０のプラグ４０をＡＣインレットに挿し込む。続いてツマミ受け金具１２０をその長手方向末端部近くの腕部１９０ａの夫々に装着した固定具１９０の中央部１９０ｃをＡＣプラグ４０の肩部４２に載せ、該中央部１９０ｃと夫々の隣り合って屈曲した両端部１９０ｄが作るコの字型の捕捉部でＡＣコード５０の付け根部４１の根元を囲むようにして捕捉しながら夫々のツマミ受け金具１２０に設けられた丸孔１２１に夫々の屈曲係止棒の他端部１１０ａを貫通させ、該他端部１１０ａに設けられた雄ネジにその内部の円筒軸に雌ネジを設けた円筒ツマミをねじ込んで夫々を均等に締めることで押付金具１９０を含む固定具１００がＡＣコード５０のプラグを装着具３０を介して近接器具との隙間ｇの寸法が限られたＡＣインレットに固定することができる。
【実施例２】
【００２８】
図４を参照して、本考案の実施例２を説明する。
【００２９】
図４は固定具に押付金具１９０を１個と合成樹脂製の結束紐２本とを用いた本考案のＡＣコード脱落防止具の斜視図であり、ＡＣコード脱落防止具は固定具１００’と装着具３０’で構成されている。なお、実施例１と同様に近接器具としてスイッチ２００が装置本体の表面１３にＡＣインレット２０とともに実装され、ＡＣインレット２０とスイッチ２００の間隔はｇ（図１参照）である。また、装着具３０’は実施例１の装着具３０の固定具係止用丸孔を合成樹脂製結束紐による係止具になったため角孔に変更した物で、その他は実施例１の装着具３０と同じ物である。
【００３０】
装着具３０と固定具１００’を用いてＡＣコード５０の脱落を防止するには、先ずＡＣコード５０のプラグ４０をＡＣインレット２０から抜いておき、ＡＣインレット２０を本体装置１３に固定している止めネジ１１２を２本とも緩めて外す。装着具３０’をＡＣインレット２０に装着する。装着は装着具３０’の垂直矩形の板状部材３１，３２をＡＣインレットの側面に接しさせながら、装着具３０’の水平四辺形面の開口部３５をＡＣインレット２０の開口部の周縁部２２ｂが貫通すること成り、外しておいた止めネジ１１２を夫々装着具のネジ孔３３ａ，３４ａに貫通させてから本体装置に締め戻して装着具３０’がＡＣインレット２０に装着できる。
【００３１】
次に装着具の開口部３５を介してＡＣコード５０のプラグ４０をＡＣインレットに挿し込む。続いて２本の合成樹脂製結束紐１１１を装着具３０’の係止孔（角孔）に貫通させ緩く環状にする。次に、固定具１９０の中央部１９０ｃをＡＣプラグ４０の肩部４２に載せ、該中央部１９０ｃと夫々の隣り合って屈曲した両端部１９０ｄが作るコの字型の捕捉部でＡＣコード５０の付け根部４１の根元を囲むようにして捕捉しながら、押付金具１９０の両長手方向末端部近くの腕部１９０ａに前期の環状にした合成樹脂製の結束紐１１１を夫々掛け夫々の環状結束紐１１１を均等に締めることで押付金具１９０を含む固定具１００がＡＣコード５０のプラグを装着具３０’を介して近接器具との隙間ｇの寸法が限られたＡＣインレットに固定することができる。
【実施例３】
【００３２】
図５（Ａ）、図５（Ｂ）、図５（Ｃ）を参照して、ＡＣコード脱落防止具の装着具の実施例２を本考案の実施例３として説明する。
【００３３】
第５図は本考案のＡＣコード脱落防止具の装着具の展開図であり、第５図（Ａ）は前記実施例１の装着具３０用であり、第５図（Ｂ）は前記実施例１の装着具３０’用である。第５図（Ｃ）は１つの装着具に実施例１の固定具係止用丸孔と実施例２の固定具係止用角孔を集合して設けたもので実施例１と実施例２にともに用いることができおる。
【００３４】
垂直矩形の板状部材において丸孔と角孔は相対的に丸孔が上、角孔が下になるよう設けることで、固定具にネジによる締め作業を伴う固定具係止孔により大きな力が加わり易い丸孔は丸孔の上側により大きな板状部材の寸法を確保できる。
【００３５】
図５（Ａ）と図５（Ｂ）を個々に用いる代わりに図５（Ｃ）を用いた装着具を要して固定具に金属製の屈曲係止棒を使用する場合は丸孔を係止孔として用い、固定具に合成樹脂製結束紐を用いる場合は角孔を係止穴として用いるように選択使用することで、前期の実施例１と実施例２を行うことで全く同じ効果を得ることができ、実施例１と実施例２のＡＣコード脱落防止具を提供するための在庫を減じることができる。
【符号の説明】
【００３６】
１０  ＡＣコード脱落防止具
２０  ＡＣインレット
２０b  ACインレットの開口部周縁部
１３  本体装置（の表面部）
３０，３０’  装着具
３１，３２  装着具の略台形拡張部を備えた垂直矩形の板状（補強）部材
３１ａ，３２ａ  屈曲係止棒係止用丸孔
３３，３４  装着具の水平矩形の板状部材
３３ａ，３４ａ  装着具の止めネジ孔
３３ｂ，３４ｂ，３３ｃ，３５ｃ  水平矩形の板状部材の補強用小矩形板状部材
３５  ＡＣインレットの開口部の周縁部が貫通する装着具の開口部
４０  ＡＣコードのプラグ部
４１  ＡＣコードのプラグへの付け根
４２  ＡＣコードのプラグの肩部
５０  ＡＣコード
１００，１００’  脱落防止具の固定具
１１０  屈曲係止棒
１１０ａ  屈曲係止棒の一端に設けられた雄ネジ
１１０ｂ  屈曲係止棒の下端の屈曲部
１１０ｃ  屈曲係止棒の下端の屈曲部のＥリング溝
１１１  Ｅリング
１１２  ＡＣインレット用止めネジ
１２０  ツマミ受け金具
１２１  ツマミ受け金具にある屈曲係止棒の雄ネジ貫通用丸孔
１２２  ツマミ受け金具を押付金具に固定する爪部
１３０  円筒形ツマミ
１３０ａ  円筒形ツマミ内部の雌ネジ
１３０ｂ  円筒型ツマミ外周に設けられたローレット
１９０  押付金具
１９０ａ  押付金具の腕部
１９０ｂ  押付金具の終端部
１９０ｃ  押付金具の中央閉塞部
１９０ｄ  押付金具の両側部
１９０ｅ  押付金具の張り出し部
１９０ｆ  押付金具の脚部
３００  金属製平板から切り出した曲げ加工前の装着具部材
ｇ  ＡＣインレットと近接する器具との間の隙間（間隔）
【図１】
0003162756.tif 000003
【図２】
0003162756.tif 000004
【図３】
0003162756.tif 000005
【図４】
0003162756.tif 000006
【図５】
0003162756.tif 000007